(57)【要約】【課題】油噴出防止機能を一層高めた歯車装置を提供すること。【解決手段】歯車装置１０は、潤滑油１６の油面１６ａと空気排出孔１４との間に遮蔽部材３０を具える。遮蔽部材３０の連通孔３４の空気排出孔側開口部３８の大きさは歯車機構側開口部３６よりも大きく、空気排出孔側開口部３８から歯車機構側開口部３６まで傾斜面３７を具えているから、遮蔽部材３０上に浸入した潤滑油は傾斜面３７を伝い歯車機構２４側に落下し易いので、潤滑油がエアブリーザ１８から噴出する可能性を低減させることができる。【選択図】図１
2015222094.tif 000002
【特許請求の範囲】
【請求項１】
内部に歯車機構を具え、上壁部に空気排出孔を具え、潤滑油が封入されているハウジングと、
前記空気排出孔に取付けられているエアブリーザと、
前記潤滑油の油面と前記空気排出孔との間に設けられ、前記空気排出孔を覆う遮蔽部材と、
前記遮蔽部材の前記空気排出孔の直下以外の位置に設けられた連通孔を有する歯車装置において、
前記連通孔の空気排出孔側開口部の大きさが、該連通孔の歯車機構側開口部の大きさよりも大きく、
前記空気排出孔側開口部から歯車機構側開口部までの傾斜面を具えることを特徴とする、
歯車装置。
【請求項２】
前記連通孔の歯車機構側開口部が少なくとも２つ以上設けられている、請求項１の歯車装置。
【請求項３】
前記遮蔽部材が前記潤滑油にその一部が浸る前記歯車機構の歯車の直上を覆う、請求項１又は２の歯車装置。
【請求項４】
前記歯車機構側開口部が前記潤滑油にその一部が浸る前記歯車機構の歯車の直上以外の位置に設けられている、請求項１から３のいずれかの歯車装置。
【発明の詳細な説明】
【技術分野】
【０００１】
本発明は、歯車装置に関し、より具体的には、歯車装置に取付けられているエアブリーザから油が噴出することを防止する機能を具えた歯車装置に関する。
【背景技術】
【０００２】
歯車機構を具えた歯車装置のハウジング内部には、歯車機構のための潤滑油が封入されている。歯車装置は、歯車機構の歯車の回転により、ハウジング内部の温度が上昇し、ハウジング内部の圧力（内圧）が高くなり、オイルシールから潤滑油が漏れる等の不具合が生じ得るので、ハウジング内部の空気を外部に排出して、内圧が高くなることを防止する必要がある。このため、歯車装置には、ハウジング内部と外部を連通させる空気排出孔が設けられ、さらに、その空気排出孔にエアブリーザが取付けられているものがある。
【０００３】
エアブリーザは、主に、ハウジング内部の潤滑油が内圧によってハウジング外部に噴出することを防止するとともに、ハウジング内部の空気のみをハウジング外部に放出するために用いられる。しかし、歯車の回転によって掻き上げられた潤滑油の飛沫がエアブリーザにかかり続けると、エアブリーザ内部に潤滑油が浸入し、空気とともに潤滑油がハウジング外部に噴出してしまうことがある。
【０００４】
そこで、エアブリーザに潤滑油の飛沫がかかることを防止できる技術が提案されており、その例として、特許文献１に示すものがある。
【先行技術文献】
【特許文献】
【０００５】
【特許文献１】特開２０１２−３１９６３号公報
【０００６】
特許文献１には、ハウジング上壁部に空気排出孔を有するカバーが取付けられ、空気排出孔にエアブリーザが取付けられ、ハウジング上壁部の空気排出孔の直下ではない位置に少なくとも２つの連通孔が設けられた減速機の油噴出防止構造が開示されている。
【発明の概要】
【発明が解決しようとする課題】
【０００７】
特許文献１の減速機の油噴出防止構造は、ハウジングの上壁部の外側に、エアブリーザを取付けたカバーを後付けして、ハウジング上壁部であった部分を、潤滑油の飛沫を遮断するものとして利用したものである。ハウジング上壁部には、少なくとも２つの連通孔が設けられているため、潤滑油の飛沫によって１つの連通孔が塞がれた場合でも、他の連通孔を通じて、空気を通すことができ、また、ハウジング上壁部の上に溜まった油を歯車機構側に戻すことができるとされている。
【０００８】
しかし、ハウジング上壁部の上面は、通常、水平面を形成しており、また、潤滑油の粘度等の事情により、ハウジング上壁部の上に浸入した潤滑油が、連通孔の位置まで移動せず、ハウジング上壁部の上にそのまま残留してしまう可能性がある。この場合、ハウジング上壁部の上に残留した潤滑油がエアブリーザに吸引されて、エアブリーザから噴出してしまう可能性もある。
【０００９】
そこで、本発明は、前述した従来技術の問題点に鑑み、油噴出防止機能を一層高めた歯車装置を提供することを目的とする。
【課題を解決するための手段】
【００１０】
本発明は、内部に歯車機構を具え、上壁部に空気排出孔を具え、潤滑油が封入されているハウジングと、
前記空気排出孔に取付けられているエアブリーザと、
前記潤滑油の油面と前記空気排出孔との間に設けられ、前記空気排出孔を覆う遮蔽部材と、
前記遮蔽部材の前記空気排出孔の直下以外の位置に設けられた連通孔を有する歯車装置において、
前記連通孔の空気排出孔側開口部の大きさが、該連通孔の歯車機構側開口部の大きさよりも大きく、
前記空気排出孔側開口部から歯車機構側開口部までの傾斜面を具えることを特徴とする歯車装置によって前記課題を解決した。
【発明の効果】
【００１１】
本発明によれば、連通孔の空気排出孔側開口部の大きさが歯車機構側開口部の大きさよりも大きく、空気排出孔側開口部から歯車機構側開口部までの傾斜面を具えているので、遮蔽部材上に潤滑油が浸入した場合であっても、潤滑油は傾斜面を伝い歯車機構側開口部に移動し、歯車機構側に落下し易い。これにより、潤滑油は、遮蔽部材上に溜まり難いので、潤滑油がエアブリーザに吸引されて、エアブリーザから噴出してしまう可能性を低減させることができ、従来のような空気排出孔側開口部と歯車機構側開口部の大きさが同一の連通孔が設けられた遮蔽部材を具える歯車装置に比べて、油噴出防止機能を一層高めることができる。
【００１２】
また、連通孔の歯車機構側開口部を少なくとも２つ以上設ければ、いずれかの連通孔が潤滑油によって塞がっても、他の連通孔を空気が通り、結果として、潤滑油が連通孔から落下し易くなるので、全ての連通孔が潤滑油によって塞がることを防止することができる。
【００１３】
また、遮蔽部材が潤滑油にその一部が浸る歯車機構の歯車の直上を覆う構成とすれば、歯車によって掻き上げられた潤滑油が遮蔽部材によって遮断されるので、遮蔽部材上に浸入し難い。よって、油噴出防止機能をさらに高めることができる。
【００１４】
また、歯車機構側開口部が潤滑油にその一部が浸る歯車機構の歯車の直上以外の位置に設けられている構成とすれば、歯車によって掻き上げられた潤滑油が歯車機構側開口部に直接かかることを防ぐことができるので、歯車機構側開口部が潤滑油によって塞がり難い。よって、潤滑油を歯車機構側に落下させ易くすることができる。
【図面の簡単な説明】
【００１５】
【図１】本発明の第一実施形態の一部縦断面図。
【図２】（ａ）は、本発明の第一実施形態の遮蔽部材の平面図、（ｂ）は、その正面図。
【図３】本発明の連通孔と歯車及び空気排出孔との位置関係を説明する図。
【図４】（ａ）は、本発明の第二実施形態の遮蔽部材の平面図、（ｂ）は、その正面図。
【図５】（ａ）は、本発明の第三実施形態の遮蔽部材の平面図、（ｂ）は、その正面図。
【発明を実施するための形態】
【００１６】
本発明の実施例を、図１〜５を参照して説明する。但し、本発明はこの実施形態に限定されるものではない。
【００１７】
図１は、本発明の第一実施形態の歯車装置１０の一部縦断面図である。歯車装置１０は、ハウジング１２内部に、入力軸２２上に設けられた傘歯車２４ａと、出力軸（図示省略。）上に設けられた、傘歯車２４ａと噛合う歯車（図示省略。）からなる歯車機構２４を具えている。ハウジング１２内部には、傘歯車２４ａの約半分が浸る程度の潤滑油１６が封入されている。ハウジング１２の上壁部１２ａには、ハウジング１２内部の内圧が高くなったときにハウジング１２内部の空気を外部に排出できるように、空気排出孔１４が設けられている。なお、空気排出孔１４には、別体のエアブリーザ１８が取付けられている。
【００１８】
潤滑油１６の油面１６ａと空気排出孔１４との間には、それぞれと空間を空けるようにして、遮蔽部材３０がハウジング１２の内側に図示しないボルトで取付けられている。なお、遮蔽部材３０は、潤滑油１６に浸らないように、歯車装置１０の運転時及び停止時における油面１６ａよりも上側に位置している。遮蔽部材３０は、空気排出孔１４を覆う大きさであるので（図３参照。）、傘歯車２４ａが掻き上げた潤滑油１６が空気排出孔１４に取付けられているエアブリーザ１８に直接かかることを防ぐことができる。
【００１９】
図２（ａ）に示すように、遮蔽部材３０には、２つの連通孔３４，３４、及び複数のボルト連通孔３２が設けられている。連通孔３４は、潤滑油１６によって塞がることを防止するために、一つだけでなく、歯車機構側開口部が２つ以上になるように設けるのがよい。連通孔３４，３４は、それぞれ、歯車機構側開口部３６と、歯車機構側開口部３６よりも大きい空気排出孔側開口部３８を有し、空気排出孔側開口部３８から歯車機構側開口部３６までの傾斜面３７が形成されている（図２（ｂ）も参照。）。これにより、遮蔽部材３０の上面３１に、傘歯車２４ａ（図１参照。）から掻き上げられた潤滑油１６が浸入しても、その潤滑油１６は、空気排出孔側開口部３８から傾斜面３７を伝い、歯車機構側開口部３６に移動し易く、歯車機構２４側に落下し易い。よって、潤滑油１６は、遮蔽部材３０の上面３１上に溜まり難いので、潤滑油１６がエアブリーザ１８から噴出してしまう可能性を低減させることができ、油噴出防止機能を一層高めることができる。
【００２０】
次に、図３を用いて、連通孔３４と歯車２４ａ，２４ｂ及び空気排出孔１４との位置関係について説明する。図３は、歯車２４ａ，２４ｂ側から遮蔽部材３０を見たときの概略図であり、歯車２４ａ，２４ｂは、その一部が潤滑油に浸っていることを想定している。なお、便宜上、入力軸、出力軸、及びハウジング等の図示は省略している。図３に示されているように、遮蔽部材３０には、３つの連通孔３４が設けられ、それぞれが歯車機構側開口部３６及び空気排出孔側開口部３８を有している。連通孔３４は、歯車２４ａ，２４ｂによって掻き上げられた潤滑油が空気排出孔１４に取付けられたエアブリーザ（図示省略。）に直接かかることを防ぐため、空気排出孔１４の直下以外の位置に設けられている。また、歯車２４ａ，２４ｂによって掻き上げられた潤滑油を遮蔽部材３０によって遮断し、遮蔽部材３０の上に潤滑油が浸入することを防止することができるように、遮蔽部材３０を歯車２４ａ，２４ｂの直上を覆う大きさにするのがよい。また、歯車２４ａ，２４ｂが掻き上げた潤滑油が歯車機構側開口部３６に直接かかることを防ぎ、歯車機構側開口部３６が潤滑油によって塞がることを防止できるように、歯車機構側開口部３６の位置を、歯車２４ａ，２４ｂの直上の位置以外に設けるのがよい。
【００２１】
図４，５は、本発明の第二、第三実施形態の遮蔽部材３０ａ，３０ｂを示している。図４（ａ）に示すように、空気排出孔側開口部３８ａを大きくすれば、遮蔽部材３０ａの上に浸入した潤滑油を傾斜面３７ａ、歯車機構側開口部３６ａ，３６ａに導き易くすることができる。また、図示しているように、複数の歯車機構側開口部３６ａ，３６ａに対し、一つの空気排出孔側開口部３８ａとすることもできる。一方、図５に示すように、複数の歯車機構側開口部３６ａ，３６ａに対し、それぞれの空気排出孔側開口部３８ｂ，３８ｂを設ける構成とすれば、傾斜面３７ｂの傾斜角を比較的大きくすることができるので、傾斜面３７ｂ上の潤滑油を歯車機構側開口部３６ｂ，３６ｂに移動させ易くすることができる。
【００２２】
以上説明したように、本発明によれば、油噴出防止機能を従来に比べて一層高めた歯車装置を提供することができる。
【符号の説明】
【００２３】
１０    歯車装置
１２    ハウジング
１２ａ  上壁部
１４    空気排出孔
１６    潤滑油
１６ａ  油面
１８    エアブリーザ
２４    歯車機構
２４ａ，２４ｂ  歯車
３０    遮蔽部材
３４    連通孔
３６    歯車機構側開口部
３７    傾斜面
３８    空気排出孔側開口部
【図１】
2015222094.tif 000003
【図２】
2015222094.tif 000004
【図３】
2015222094.tif 000005
【図４】
2015222094.tif 000006
【図５】
2015222094.tif 000007